(57)【要約】【課題】テーブル面の角度調整機能を有する多機能昇降テーブルを提供する。【解決手段】ベースステム３１、３２に軸管４２が設置され、軸管４２の上縁にベース板４１が固定され、テーブル面４０が設置される。テーブル面４０を支える二本の支えフレーム間にレバー制御バー４４が挿入設置される。そして、側面の引きばね４５によって引き付けられて、レバー制御バー４４を制御し、はめ込み固定溝２内に固定される。また、テーブル面４０を支える支えフレーム３０のベースステム３１の一端にはトーションばね４６が設置され、トーションばね４６によってテーブル面４０が上昇し、レバー制御バー４４を引いて、位置固定板４３のはめ込み固定溝２から離脱し、トーションばね４６の弾力により軸管４２を軸として軸回転させて、テーブル面４０の傾斜角度の調整機能を達成する。【選択図】  図３
0003153928.tif 000002
【実用新案登録請求の範囲】
【請求項１】
下部の下部支柱と上部のテーブル支柱とから構成される昇降テーブル支柱を有し、前記上部のテーブル支柱は支えフレームを有し、前記支えフレームは、断面円形の一対のベースステムと一対の断面矩形のフレームステムとによって構成されることで、テーブル面を結合させて、
前記テーブル面底部には、ベース板が結合され、
前記ベース板の一側面には軸管が、設置され、
前記軸管は、前記支えフレームにはめ込まれて組み立てられ、
使用者に近い側面の前記ベースステム上に、前記ベースステムを軸として前記テーブル面を軸回転して調整機能を達成し、
前記ベース板の前記軸管に近い側面には、位置固定板が設置され、
前記位置固定板には、カーブ型導入溝が設けられることで、前記支えフレームの二本の前記ステム間に可動式のレバー制御バーが挿入されて設置され、
前記カーブ型導入溝には、さらに複数のはめ込み固定溝が設けられ、
前記フレームステムの一側面に設置された引きばねが前記レバー制御バーを引いて、前記位置固定板の前記はめ込み固定溝内にはめ込まれて固定され、
前記支えフレームの前記ベースステムの一端には、トーションばねが設置されて、
前記トーションばねの一端が支えフレームの所定の位置に引っ掛けて固定され、前記トーションばねの他端にねじり力が蓄積された後、前記テーブル面底部に押し付けられて、前記トーションばねによって、前記レバー制御バーが引き戻されて定位置に固定されたとき、前記テーブル面に当たり、傾斜角度調整機能を達成することを特徴とする多機能昇降テーブル。
【請求項２】
前記支えフレームの二個の前記ベースステムの両端には、それぞれ、所定の数のねじ穴が設けられることで、ねじによって、前記フレームステムを異なる前記ねじ穴の位置が選択できることで、前記ベースステムと前記フレームステムとが構成する前記支えフレームの径のサイズを変更して、異なるサイズの前記テーブル面が安定して支えられることを特徴とする請求項１に記載の多機能昇降テーブル。
【請求項３】
前記支えフレームは、前記昇降テーブル支柱の前記上部テーブル支柱と異なる方向で挿入されて変更できることにより、使用形態によって左寄りにも、右寄りにも変更可能であることを特徴とする請求項１に記載の多機能昇降テーブル。
【請求項４】
前記レバー制御バーの一端は、軸接続によって前記支えフレームの前記フレームステムに設置され、
前記レバー制御バーの他端は、前記支えフレームの他の前記フレームステムにあらかじめ設置された長形溝によってレバー移動機能を提供することを特徴とする請求項１に記載の多機能昇降テーブル。
【考案の詳細な説明】
【技術分野】
【０００１】
本考案は、多機能昇降テーブルに関し、特に使用者の座る姿勢に合わせて、テーブルの高さが変更できる機能を有すると同時に、さらに、異なるニーズに応じて、簡単なレバー操作によってそのテーブル面の傾斜角度を調整する機能を有することで、大幅に実用性を高めた多機能昇降テーブルに関する。
【背景技術】
【０００２】
一般にベッド上で食事、読書、書き物またはコンピューター作業等の用途に使用される多機能昇降テーブルは、その構造設計において、通常、高さが調整できるコの字型の支柱ステムが設置され、その下端の水平の下部ステムにキャスターが設置されることにより移動させる機能を提供する。そして、その上端の水平テーブル面を支える支柱が、所定サイズのテーブルに結合され、前記テーブル面を利用して、食器、書籍、紙またはコンピューター等の物品を置き、必要時には、さらに、支柱ステム側面に中棚が追加設置されて、物品の収納機能を持たせる。このようにして、このタイプの多機能昇降テーブルの基本機能構造が構成される。
【０００３】
このタイプの多機能昇降テーブルは、構造設計上、ベッドの高さ及び使用者の座るときの姿勢、体型に応じて、高度を調整する機能を有することにより、テーブル面を必要な高さに調整することが可能である。しかしながら、そのテーブル面とテーブルを支える支柱ステムの組み立て固定設計において、テーブル面は、ただ水平形態を呈するのみで、物品を平らに置くことはできるものの、特殊な使用状況のニーズ（例えば、読書、コンピューター作業等）において、そのテーブル面の角度調整ができないため、手で物品を持って角度を変えるか、体の姿勢を変えることでそのニーズに対応しなければならない。しかしながら、上述のように、使いやすくするために、手で持ったり、体の姿勢を変えたりする方式は、決して理想的だとは言えず、時間が長くなると、手や体の不快感を覚え、疲れが生じる。
【考案の概要】
【考案が解決しようとする課題】
【０００４】
したがって、本考案は、従来の多機能昇降テーブルの問題を解決し、テーブル面の角度調整機能を有する多機能昇降テーブルを提供することを課題とする。
【課題を解決するための手段】
【０００５】
上記課題を解決するために、テーブル面の角度調整機能を有する多機能昇降テーブルを提供することを目的とする。
上記目的を達成するために、本考案の多機能昇降テーブルは、多機能昇降テーブルのテーブル面は角度調整機能を有し、異なるニーズに応じて、簡単なレバー操作でテーブル面を必要な角度に調整することで、大幅に実用性を高める。
【０００６】
さらに、上記目的を達成するために、本考案の多機能昇降テーブルは、そのテーブル面を支える支えフレームは、ベッド上で使用する際に、その置かれる位置に応じて、テーブル面を支える支えフレームを変更及び昇降させる組み立て構造により、昇降テーブルを左置きにも右置きにも変更できる。
【０００７】
また、上記目的を達成するために、本考案の多機能昇降テーブルは、テーブル面のサイズに応じて、テーブル面を支える二本の支えフレームの間の距離を調整することで、テーブル面を安定して支える。
【０００８】
前述の本考案における多機能昇降テーブル面の調整構造を達成するために、本考案の昇降テーブルのテーブル面の支えフレームは、使用者の側面のベースステムに軸管が設置されて、軸管の上縁に一体でベース板が固定されることで、テーブル面が設置される。ベース板の側面には、位置固定板が設置され、位置固定板にはカーブ型導入溝が設けられ、側面には複数のはめ込み固定溝が設置されることで、テーブル面を支える二本の支えフレーム間にレバー制御バーが挿入設置される。そして、側面の引きばねによって引き付けられて、レバー制御バーを制御し、固定板のはめ込み固定溝内にはめ込み固定される。また、テーブル面を支える支えフレームのベースステムの一端にはトーションばねがはめ込まれて設置され、トーションばねによってテーブル面が上昇する慣性によって、レバー制御バーを引いて、固定板のはめ込み固定溝から離脱したとき、トーションばねの弾力性を利用して、テーブル面に対して軸管を軸として軸回転をし、テーブル面の傾斜角度の調整機能を達成する。
【考案の効果】
【０００９】
本考案は、多機能昇降テーブルに関し、特に使用者の座る姿勢に合わせて、テーブルの高さが変更できる機能を有すると同時に、さらに、異なるニーズに応じて、簡単なレバー操作によってそのテーブル面の傾斜角度を調整する機能を有することで、大幅に実用性を高め、従来の技術の欠点を大幅に改善する。
【図面の簡単な説明】
【００１０】
【図１】本考案の一実施例における多機能昇降テーブルを示す斜視図である。
【図２】本考案の一実施例における多機能昇降テーブルを示す分解斜視図である。
【図３】本考案の一実施例におけるテーブル面部分の構造を示した詳細な分解斜視図である。
【図４】本考案の一実施例におけるテーブル面が水平状態を呈する状態での部分構造関係を示した側面図である。
【図５】本考案の一実施例におけるテーブル面が傾斜を呈した角度状態での部分構造関係を示した側面図である。
【図６】本考案の一実施例における大きいサイズのテーブル面と支えフレームの構造を示した説明図である。
【図７】本考案の一実施例における小さいサイズのテーブル面と支えフレームの構造を示した説明図である。
【図８】本考案の一実施例におけるベッド配置の左右の位置関係を示した説明図である。
【考案を実施するための形態】
【００１１】
以下、図を参照しながら、本考案の多機能昇降テーブルについて説明する。
（一実施例）
図１〜８に示したのは本考案の好適な実施例を示した図である。本実施例の多機能昇降テーブルは、高さが調整できる昇降テーブル支柱ステムを有する。本実施例の多機能昇降テーブルは、下部のＬ字型の下部支柱１０と上部の逆Ｌ字型のテーブル支柱２０が挿入されて組み立てられる。テーブル支柱２０の挿入の程度は、必要に応じてテーブル支柱２０の高さが調整されて、下部支柱１０の挿入部分の締めねじ１１によって、テーブル支柱２０と下部支柱１０の挿入組み立て関係が維持される。下部支柱１０底部には、所定数のキャスター１２が設置されることで移動できる機能を提供する。テーブル支柱２０一側面には、サイド籠２１がかけられることで物品収納機能を提供する。また、テーブル支柱２０先端部分には、別に製作された支えフレーム３０がはめ込まれて設置されて、テーブル面４０が結合される。このようにして、本実施例の多機能昇降テーブル面の基本構造が構成される。
【００１２】
図６、図７に示すように、このうち、テーブル面４０を結合させるテーブル面４０の支えフレーム３０は、二本の横向きのベースステム３１、３２と、二本の縦向きのフレームステム３３、３４が組み立てられて形成される。設置されるテーブル面４０のサイズによって、二本のフレームステム３３、３４と二本のベースステム３１、３２の組み立て関係を調整することで、その調整機能を達成する。二本のベースステム３１、３２の両端には、それぞれ数個のねじ穴３５を有することで、ねじ３６によって、フレームステム３３、３４が設置される際の適切なねじ穴３５の位置が選択できる。さらに、ベースステム３１、３２とフレームステム３３、３４が構成するフレームステム３０の径のサイズが変更できる。したがって、異なるサイズのテーブル面４０が安定して支えられる。
【００１３】
テーブル面４０と支えフレーム３０との組み立てにおいて、テーブル面４０底面にはベース板４１が結合され、ベース板４１の一側面には軸管４２が設置される。軸管４２の内径は、おおむね支えフレーム３０のベースステム３１、３２外径に適合することで、軸管４２が支えフレーム３０にはめ込まれて組み立てられる。使用者に近い側面のベースステム３１上に、支えフレーム３０及びベース板４１が、ベースステム３１を軸として軸回転して調整機能を達成する。
【００１４】
テーブル面４０の傾斜角度調整機能を達成するために、本実施例では、ベース板４１が、軸管４２に近い側面に位置固定板４３が設置される。位置固定板４３上には、カーブ型導入溝１が設置され、カーブ型導入溝１はさらに側面に複数のはめ込み固定溝２が設けられる。支えフレーム３０の間に挿入されたフレームステム３３、３４に、レバー制御バー４４が挿入設置され、レバー制御バー４４の一端には軸ねじ３がフレームステム３４上に軸接続される。レバー制御バー４４の他端には、フレームステム３３を介して、あらかじめ設置された長形溝４がレバー制御による位置移動機能を提供する。フレームステム３３の一側面にあらかじめ設置された引きばね４５を利用して、レバー制御バー４４を制御することで、レバー制御バー４４が位置固定板４３のはめ込み固定溝２内にはめ込まれて固定される。また、支えフレーム３０のベースステム３１一端には、トーションばね４６がはめ込まれて設置される。トーションばね４６の一端は、支えフレーム３０の所定の位置に設置されて固定される。トーションばね４６の他端は、トーション力を蓄えた後、テーブル面４０底部に押し付けられることで、レバー制御バー４４を引いて、位置固定板４３のはめ込み固定溝２から離脱するとき、トーションばね４６の力を利用して弾いて当たり、テーブル面４０が軸管４２を軸として軸回転して、テーブル面４０の傾斜角度を調整する機能を達成する（図４、図５参照）。引きばね４５を利用し、レバー制御バー４４に対して牽引作用を行い、レバー制御バー４４が自動的に回復されて、はめ込み固定溝２によって固定定位機能が達成されることで、テーブル面４０の傾斜角度が安定して維持される。
【００１５】
このように、本実施例の多機能昇降テーブルは、下部支柱１０とテーブル支柱２０を利用してはめ込んで組み立てて、ベッドの高さ及び使用者の座る姿勢や体型に応じて、テーブル面４０の高さが調整できる機能を有するほか、異なるニーズに応じて、さらに、テーブル面４０のベース板４１の軸管４２と支えフレーム３０のベースステム３１の軸接続関係を利用して、レバー制御バー４４によって制御してその位置を固定することで、トーションばね４６の作用を利用し、手で適度に押すことで、テーブル面４０に適当な角度に調整する。同時に、引きばね４５によってレバー制御バー４４を引いて、対応するはめ込み固定溝２に固定されて、テーブル面４０の形態を安定して維持させることにより、従来の同タイプの製品のテーブル面における、角度傾斜の調整が行えないという欠点を解決する。
【００１６】
さらに、従来の技術が、ベッドの配置位置によって多機能昇降テーブル面のベッドサイドにおける左右の位置が制限されるという問題を受けて、本実施例では、その支えフレーム４０とテーブル支柱２０がはめ込み式であるという設計により、支えフレーム３０及びテーブル面４０をテーブル支柱２０から分離した後、テーブル面４０の傾斜角度調整機能と使用者の関係を変更しない状況の下で、テーブル支柱２０は、支えフレーム３０のベースステム３１、３２がはめ込み式であること、多機能昇降テーブルの位置が右寄りか、左寄りかの使用形態を変更することにより、そして、飾りキャップ３７をベースステム３１、３２の他端にはめ込んで、全体的な美観を整えることで、さらに完全な構造となり、従来の同タイプの製品にはなかった機能を有する（図８参照）。
【００１７】
このように、本考案の多機能昇降テーブル面の調整構造は、ベッドの上での食事、読書、書き物、コンピューター作業等の際に使用される多機能降テーブルの構造に利用される。本考案の多機能昇降テーブルは、そのテーブル面の高さを調整する機能を有する外に、さらに、そのテーブルの支えフレームとテーブル面が軸接続されること、レバー制御バーとトーションばねの組み合わせと、異なるニーズに応じて、テーブル面を適度な傾斜角度に調整することができることによって、優れた実用性を有して、従来の同タイプの製品における諸問題を解決する。
【符号の説明】
【００１８】
１：カーブ型導入溝、２：はめ込み固定溝、３：軸ねじ、４：長形溝、１０：下部支柱、１１：締めねじ、１２：キャスター、２０：テーブル支柱、２１：サイド籠、３０：支えフレーム、３１、３２：ベースステム、３３、３４：フレームステム、３５：ねじ穴、３６：ねじ、３７：飾りキャップ、４０：テーブル面、４１：ベース板、４２：軸管、４３：位置固定板、４４：レバー制御バー、４５：引きばね、４６：トーションばね
【図１】
0003153928.tif 000003
【図２】
0003153928.tif 000004
【図３】
0003153928.tif 000005
【図４】
0003153928.tif 000006
【図５】
0003153928.tif 000007
【図６】
0003153928.tif 000008
【図７】
0003153928.tif 000009
【図８】
0003153928.tif 000010